(57)【要約】【課題】表示品位に優れた液晶表示装置を提供する。【解決手段】液晶表示装置は、第１基板と、第２基板と、液晶層と、それぞれ透過領域Ｒ２を含んだ複数の画素部７とを備えている。各画素部７は、画素電極１５と、突起２６とを有している。突起２６は、第１突起部２６ａと、少なくとも第１突起部の幅ｗ２と異なる幅ｗ３および第１突起部の高さと異なる高さの何れかを有した第２突起部２６ｂとを含んでいる。【選択図】      図２
2007101952.tif 000002
【特許請求の範囲】
【請求項１】
第１基板と、
この第１基板に隙間を置いて対向配置された第２基板と、
前記第１基板および第２基板間に狭持された液晶層と、
前記第１基板上に形成されている画素電極と、
前記第２基板上に形成されている対向電極と、
前記第２基板上に形成され液晶層の液晶分子の傾く方向を制御する前記第１基板側に突出している突起と、
を具備し、
前記突起は、第１突起部と、この第１突起部と異なる幅および異なる高さの少なくとも何れかを有した第２突起部によって構成されることを特徴とする液晶表示装置。
【請求項２】
第１基板と、
この第１基板に隙間を置いて対向配置された第２基板と、
前記第１基板および第２基板間に狭持された液晶層と、
前記第１基板上に形成されている画素電極と、
前記第２基板上に形成されている対向電極と、
前記第２基板上に形成され液晶層の液晶分子の傾く方向を制御する前記第１基板側に突出している突起と、
を具備し、
前記画素電極は、第１電極と、この第１電極と異なる幅を有した第２電極によって構成されることを特徴とする液晶表示装置。
【請求項３】
第１基板と、
この第１基板に隙間を置いて対向配置された第２基板と、
前記第１基板および第２基板間に狭持された液晶層と、
前記第１基板上に形成されている画素電極と、
前記第２基板上に形成されている対向電極と、
前記第２基板上に形成され液晶層の液晶分子の傾く方向を制御する前記第１基板側に突出している突起と、
を具備し、
前記突起は、第１突起部と、この第１突起部と異なる幅および異なる高さの少なくとも何れかを有した第２突起部によって構成され、
前記画素電極は、第１電極と、この第１電極と異なる幅を有した第２電極によって構成されることを特徴とする液晶表示装置。
【請求項４】
前記突起は、前記第１突起部および第２突起部が一体となりストライプ状に形成されていることを特徴とする請求項１または３に記載の液晶表示装置。
【請求項５】
前記第２突起部は、連続的に変形して形成されていることを特徴とする請求項４に記載の液晶表示装置。
【請求項６】
前記第１電極および第２電極はそれぞれ矩形状に形成され、
前記画素電極は、前記第１電極および第２電極が一体となって形成されていることを特徴とする請求項２または３に記載の液晶表示装置。
【請求項７】
前記画素電極は前記第１電極および第２電極が一体となって形成され、前記第２電極は、連続的に変形していることを特徴とする請求項６に記載の液晶表示装置。
【発明の詳細な説明】
【技術分野】
【０００１】
この発明は、液晶表示装置に関する。
【背景技術】
【０００２】
一般に、液晶表示装置は、軽量、薄型、低消費電力等の特徴を有しているため、ＯＡ（オフィス‐オートメーション）機器、情報端末機、時計およびテレビ等様々な分野に応用されている。特に、液晶表示装置は、スイッチング素子として薄膜トランジスタを備えることにより高速応答性が得られるため、携帯テレビやコンピュータ等、多量の情報を表示する電子機器の表示部に用いられている。
【０００３】
近年、情報量の増加に伴い、画像の高精細化や表示速度の高速化に対する要求が高まっている。画像の高精細化は、例えば、上述したＴＦＴが形成されたアレイ基板の構造を微細化することで実現されている。
【０００４】
一方、表示速度の高速化に関しては、従来の表示モードの代わりに、ネマティック液晶を用いたＯＣＢ（Optically Compensated Birefringence）モード、ＶＡ（Vertically Aligned）モード、ＨＡＮ（Hybrid Aligned Nematic）モード、π配列モードやスメクチック液晶を用いた界面安定型強誘電性液晶（Surface Stabilized Ferroelectric Liquid Crystal）モードおよび反強誘電性液晶モードを採用することが検討されている。
【０００５】
これら表示モードのうち、ＶＡモードでは、従来のＴＮ（Twisted Nematic）モードよりも速い応答速度を得ることができ、しかも垂直配向のため、静電気破壊などの不良を発生させるラビング処理が不要である。なかでも、マルチドメイン型ＶＡ（Multi-domain Vertical Alignment）モードは、視野角の拡大が比較的容易であることから特に注目を集めている。
【０００６】
ＭＶＡモードは、例えば、マスクラビング、画素電極構造の工夫、画素内に突起を設けるなどして実現している。これにより、液晶層に電圧を印加した際に液晶分子の配列方向が互いに９０°の角度となるよう画素内を４つの領域に配向分割をして、視角特性の対称性改善と反転現象の抑止を実現している（例えば、特許文献１参照）。
【０００７】
さらに、液晶分子が垂直に配列した状態、すなわち黒色表示状態での液晶層の位相差の視角依存性を負の位相差板を用いて補償し、コントラスト（ＣＲ）視角を良好にした液晶表示装置が知られている。また、負の位相差板に面内位相差をもたせて２軸位相差板とすることで、偏光板の視角依存性も補償し、さらに優れたＣＲ視角特性を実現した液晶表示装置が知られている。
【特許文献１】特開平１１−２５８６０６号公報
【発明の開示】
【発明が解決しようとする課題】
【０００８】
しかしながら、従来のＭＶＡモードは、中間調や白色表示の視角補償は不十分であり、表示画面を正面から見た場合と斜めから見た場合とで階調特性が異なり、多色表示した場合に表示画面を斜めから見た場合は、中間調表示を維持できず、全体的に白茶けて見えてしまう問題がある。また、白色表示した場合に表示画面を斜めから見た場合は、中間調の輝度が白色表示の輝度と差のない状態となり、中間調表示において全体的に白茶けた表示に見えるという問題もある。
【０００９】
特に、２分割配向ＭＶＡでは、配向分割の方向が左右の２つの配向領域間で互いに平行となって逆方向に液晶分子が配向するため、上下方向では中間調における位相差の異方性を補償しあう。ところが、左右方向では位相差の異方性は一様に作用するため正面と左右方向で印加電圧に対する位相差の変化度が変わり、中間調視角特性は劣ってしまう。  
この発明は以上の点に鑑みなされたもので、その目的は、表示品位に優れた液晶表示装置を提供することにある。
【課題を解決するための手段】
【００１０】
上記課題を解決するため、本発明の態様に係る液晶表示装置は、
第１基板と、この第１基板に隙間を置いて対向配置された第２基板と、前記第１基板および第２基板間に狭持された液晶層と、前記第１基板上に形成されている画素電極と、前記第２基板上に形成されている対向電極と、前記第２基板上に形成され液晶層の液晶分子の傾く方向を制御する前記第１基板側に突出している突起とを具備し、前記突起は、第１突起部と、この第１突起部と異なる幅および異なる高さの少なくとも何れかを有した第２突起部によって構成されることを特徴としている。
【００１１】
また、本発明の他の態様に係る液晶表示装置は、第１基板と、この第１基板に隙間を置いて対向配置された第２基板と、前記第１基板および第２基板間に狭持された液晶層と、前記第１基板上に形成されている画素電極と、前記第２基板上に形成されている対向電極と、前記第２基板上に形成され液晶層の液晶分子の傾く方向を制御する前記第１基板側に突出している突起とを具備し、前記画素電極は、第１電極と、この第１電極と異なる幅を有した第２電極によって構成されることを特徴としている。
【００１２】
また、本発明の他の態様に係る液晶表示装置は、第１基板と、この第１基板に隙間を置いて対向配置された第２基板と、前記第１基板および第２基板間に狭持された液晶層と、前記第１基板上に形成されている画素電極と、前記第２基板上に形成されている対向電極と、前記第２基板上に形成され液晶層の液晶分子の傾く方向を制御する前記第１基板側に突出している突起とを具備し、前記突起は、第１突起部と、この第１突起部と異なる幅および異なる高さの少なくとも何れかを有した第２突起部によって構成され、前記画素電極は、第１電極と、この第１電極と異なる幅を有した第２電極によって構成されることを特徴としている。
【発明の効果】
【００１３】
この発明によれば、表示品位に優れた液晶表示装置を提供することができる。
【発明を実施するための最良の形態】
【００１４】
以下、図面を参照しながらこの発明の実施の形態に係る半透過型の液晶表示装置について詳細に説明する。  
図１、図２および図３に示すように、液晶表示装置は、第１基板としてのアレイ基板１と、このアレイ基板に所定の隙間を置いて対向配置された第２基板としての対向基板２と、これらアレイ基板および対向基板間に狭持された液晶層３とを備えている。
【００１５】
アレイ基板１は、透明な絶縁基板としてのガラス基板１０を備えている。このガラス基板１０上には、複数の信号線１１および図示しない複数の走査線が配設されている。信号線１１は第１方向ｄ１に配設され、走査線は第１方向に直交する第２方向ｄ２に配設されている。隣合う２本の信号線１１および隣合う２本の走査線でそれぞれ囲まれた複数の画素領域Ｒ１は第１方向ｄ１および第２方向ｄ２にマトリクス状に設けられ、これら複数の画素領域内にはそれぞれ画素部７が形成されている。例えば、各画素部７は、第１方向ｄ１の長さが１５０μｍであり、第２方向の幅が５０μｍである。なお、第１方向ｄ１および第２方向ｄ２は、アレイ基板１の平面および対向基板２の平面に平行な方向である。
【００１６】
アレイ基板１において、画素部７は、ガラス基板１０上に形成され、スイッチング素子として、アモルファスシリコンまたはポリシリコン等の半導体膜を有したＴＦＴ（薄膜トランジスタ）１２を有している。上記したように、ガラス基板１０上には信号線１１、走査線およびＴＦＴ１２等のアレイパターン１３が形成されている。
【００１７】
アレイパターン１３の他、ガラス基板１０上には、金属薄膜としてのアルミニウム薄膜等光を反射する材料の薄膜からなる複数の反射部１４およびＩＴＯ（インジウム・ティン・オキサイド）等の透明な導電膜からなる複数の画素電極１５が形成されている。なお、図示しないが、反射部１４は、対向基板２に対向した側に小さな凹凸状の表面Ｓを有している。反射部１４および画素電極１５は、それぞれ画素領域Ｒ１に重なって画素部７を形成している。また、ガラス基板１０上には、画素電極１５を覆った垂直配向膜１６が成膜されている。垂直配向膜１６上には複数本の柱状スペーサ１７が形成されている。
【００１８】
対向基板２は、透明な絶縁基板としてのガラス基板２０を備えている。このガラス基板２０上には、ブラックマトリクスとして機能する格子状の遮光層２２と、複数の赤色の着色層２３Ｒ、複数の緑色の着色層２３Ｇおよび複数の青色の着色層２３Ｂを有したカラーフィルタ２１とが配設されている。各着色層２３Ｒ、２３Ｇ、２３Ｂは、その周縁部が遮光層２２に重なって配設されている。
【００１９】
カラーフィルタ２１上には複数の突出部２４が形成されている。突出部２４は、例えば感光性アクリルレジストで形成されている。突出部２４の厚さは、例えば１．８μｍである。突出部２４は画素部７を形成している。なお、突出部２４は、ＴＦＴ１２や画素電極１５等の能動素子が形成されたアレイ基板１と対向する対向基板２に設けることが好ましい。突出部２４は透明であり、透光性を有している。
【００２０】
カラーフィルタ２１および突出部２４上には、ＩＴＯ等の透明な導電膜からなる対向電極２５が形成されている。対向電極２５上には複数の突起２６が形成されている。対向電極２５および突起２６上に垂直配向膜２７が成膜されている。なお、垂直配向膜１６、２７の膜厚は１００ｎｍ程度である。
【００２１】
アレイ基板１および対向基板２は、これら両基板の周縁部に配設されたシール材３０により互いに接合され、柱状スペーサ１７により所定の隙間を置いて保持して対向配置されている。液晶層３は、アレイ基板１、対向基板２およびシール材３０間に狭持されている。液晶層３は、誘電率異方性が負の液晶材料で形成されている。液晶層３は、液晶分子の配列が垂直配向となる垂直配向型である。液晶層３の層厚は、例えば３．６μｍである。
【００２２】
アレイ基板１の外面には第１光学部４が設けられ、対向基板２の外面には第２光学部５が設けられている。この実施の形態において、第１光学部４および第２光学部５はそれぞれ偏光板で形成されている。
【００２３】
第１光学部４の外面側にバックライトユニット６が設けられている。バックライトユニット６は、第１光学部４と対向し導光板を含む導光体６ａと、この導光体の一側縁に対向配置された光源６ｂおよび反射板６ｃとを有している。上記したように、マルチドメイン型ＶＡモードの半透過型の液晶表示装置が完成する。
【００２４】
以下、上記のように構成された画素部７、特に、突起２６について詳述する。なお、実施例１、２、３、４および比較例１、２において、他の構成は上述した実施例１と同一であり、同一の部分には同一の符号を付してその詳細な説明を省略する。
【００２５】
（実施例１）
図２、図３、図４および図５に示すように、画素部７は、アレイ基板１および対向基板２間にマトリクス状に設けられている。画素部７（画素領域Ｒ１）は、第１方向ｄ１に平行な長軸を有し、矩形状である。画素部７（画素領域Ｒ１）は、画素部（画素領域）の長軸の方向に隣接して並んだ矩形状の透過領域Ｒ２および矩形状の反射領域Ｒ３を含んでいる。
【００２６】
複数の突出部２４は、第２方向ｄ２に延出しているとともに第１方向ｄ１に並んで形成されている。突出部２４はストライプ状または島状に形成されている。複数の突出部２４は、それぞれ第２方向ｄ２に並んだ複数の反射領域Ｒ３に重なって設けられている。突出部２４はアレイ基板１側に突出し、透過領域Ｒ２と反射領域Ｒ３とに段差を形成している。このため、反射領域Ｒ３と対向した液晶層３の層厚は、透過領域Ｒ２と対向した液晶層３の層厚より薄くなっている。
【００２７】
反射部１４は矩形状であり、反射領域Ｒ３に重なっている。画素電極１５は第１方向ｄ１に長軸を有した矩形状であり、透過領域Ｒ２および反射領域Ｒ３に重なっている。なお、言うまでもないが、反射領域Ｒ３において、反射部１４および画素電極１５は重なっている。
【００２８】
突起２６は、透過領域Ｒ２および反射領域Ｒ３に位置している。突起２６は、第１突起部２６ａおよび第２突起部２６ｂを有している。第１突起部２６ａおよび第２突起部２６ｂは、第１方向ｄ１に隣接して並んでいる。突起２６は、第１突起部２６ａおよび第２突起部２６ｂが一体となりストライプ状に形成されている。第１突起部２６ａおよび第２突起部２６ｂは対向電極２５の表面からアレイ基板１側に突出している。突起２６は、透過領域Ｒ２および反射領域Ｒ３と対向した液晶層３の液晶分子の傾く方向を制御する機能を有している。突起２６は、透過領域Ｒ２および反射領域Ｒ３を第２方向ｄ２に２等分するように形成されている。
【００２９】
第１突起部２６ａおよび第２突起部２６ｂは、それぞれほぼ半円形の断面を有した凸部が第１方向ｄ１に延出して形成されている。第２方向ｄ２において、突起２６の幅ｗ１は不均一であるため、第１突起部２６ａの幅ｗ２と第２突起部２６ｂの幅ｗ３とは異なっている。突起２６の高さｈ１は不均一であるため、第１突起部２６ａの高さｈ２と第２突起部２６ｂの高さｈ３とは異なっている。
【００３０】
この実施例において、第１突起部２６ａの幅ｗ２は８μｍであり、その高さｈ２は１．０μｍである。第２突起部２６ｂの幅ｗ３は２０μｍであり、その高さｈ３は１．６μｍである。また、第１突起部２６ａは第１方向ｄ１に分断して形成され、第２突起部２６ｂは、分断された第１突起部２６ａ間、かつ、透過領域Ｒ２の中央に位置している。なお、第２方向ｄ２において、画素電極１５の幅ｗ４は均一であり、例えば、４０μｍである。
【００３１】
次に、上記実施例１の液晶表示装置の視野角に対する輝度の変化について説明する。ここでは、液晶表示装置が８階調表示を行うものとして説明する。  
図６に示すように、表示画面の正面方向（０°）において、液晶表示装置の８階調の輝度Ｌ＊は均等に分けられている。表示画面の左右方向において、液晶表示装置の８階調の輝度Ｌ＊は不均等に分けられ、正面方向に比べて高輝度である。１つの階調で、表示画面の正面方向の輝度が最小値Ｌ＊ｍｉｎを示すため、左右方向において輝度が最大値Ｌ＊ｍａｘを示すことになる。輝度の最大値Ｌ＊ｍａｘと輝度の最小値Ｌ＊ｍｉｎとの差をΔＬ＊とする。また、最大値Ｌ＊ｍａｘを１００％とする。すると、８階調の内、中間調においてΔＬ＊が最大となり、中間調において、ΔＬ＊は２５％となる。上記のことから、液晶表示装置は、視野角に対する輝度のばらつきを抑制しているため、視角特性に優れている。
【００３２】
次に、比較例１、２として、液晶表示装置の突起２６が均一な幅および均一な高さに形成された場合について説明する。  
（比較例１）
図１０に示すように、比較例１では、突起２６は、ほぼ半円形の断面を有した凸部が第１方向ｄ１に延出して形成されている。突起２６の幅ｗ１および高さｈ１は均一である。比較例１では、突起２６の幅ｗ１は２０μｍであり、その高さｈ１は１．６μｍである。
【００３３】
ここで、比較例１の液晶表示装置の視野角に対する輝度の変化について説明する。ここでは、液晶表示装置が８階調表示を行うものとして説明する。  
図１１に示すように、表示画面の正面方向（０°）において、液晶表示装置の８階調の輝度Ｌ＊は均等に分けられているものの、表示画面の左右方向において、液晶表示装置の８階調の輝度Ｌ＊は不均等に分けられ、正面方向に比べて格段に高輝度である。比較例１の液晶表示装置の中間調において、ΔＬ＊は４５％である。
【００３４】
（比較例２）
比較例２では、比較例１とほぼ同様に形成されているが、突起２６の幅ｗ１および高さｈ１が比較例１と異なっている。比較例２では、突起２６の幅ｗ１は８μｍであり、その高さｈ１は１．０μｍである。なお、図示しないが、比較例２の液晶表示装置の中間調において、ΔＬ＊は、比較例１とほぼ同等であり４５％程度である。
【００３５】
上記したことから、実施例１の液晶表示装置のΔＬ＊は、比較例１、２のΔＬ＊に比べ２０％程度小さい。このため、その２０％分、実施例１の液晶表示装置が視角特性に優れている。  
また、図１２に示すように、実施例１の液晶表示装置の印加電圧（Ｖ）に対する透過率（Ｔ）は、比較例１および比較例２の間の値を示すことが確認できる。
【００３６】
（実施例２）
図７に示すように、実施例２では、突起２６は第１突起部２６ａおよび第２突起部２６ｂを有し、第１突起部２６ａは反射領域Ｒ３に、第２突起部２６ｂは透過領域Ｒ２に位置している。第１突起部２６ａおよび第２突起部２６ｂは、ほぼ半円形の断面を有した凸部が第１方向ｄ１に延出して形成されている。第２方向ｄ２において、第１突起部２６ａの幅ｗ２と第２突起部２６ｂの幅ｗ３とは異なっている。第１突起部２６ａの高さｈ２と第２突起部２６ｂの高さｈ３とは異なっている。
【００３７】
この実施例において、第１突起部２６ａの幅ｗ２は８μｍであり、その高さｈ２は１．０μｍである。第１突起部２６ａに隣接した側の第２突起部２６ｂの一端の幅ｗ３ｍｉｎは８μｍであり、その一端の高さｈ３ｍｉｎは１．０μｍである。第２突起部２６ｂの他端の幅ｗ３ｍａｘは２０μｍであり、その他端の高さｈ３ｍａｘは１．６μｍである。第２突起部２６ｂは一端側と他端側とで幅および高さが異なっている。第２突起部２６ｂは、一端側から他端側に向かって連続的に体積が大きくなるよう変形して形成されている。
【００３８】
この実施例２の中間調において、ΔＬ＊は実施例１と同様２５％である。上記したことから、液晶表示装置は、視野角に対する輝度のばらつきを抑制しているため、視角特性に優れている。
【００３９】
（実施例３）
図８に示すように、実施例３では、突出部２４は、第２方向ｄ２に延出せずに反射領域Ｒ３に重なって設けられている。切り欠き部分をもつ画素電極１５が設けられ、また、突起２６は第１方向ｄ１に隙間を置いて設けられている。ここで、各画素部７において、突起２６は、第１方向ｄ１に隙間を置いて反射領域Ｒ３に１つ、透過領域Ｒ２に２つ設けられ、計３つ設けられている。画素電極１５は、切り欠き部分を有する第１電極１５ａと、切り欠き部分を有する第２電極１５ｂとからなり、第１電極１５ａおよび第２電極１５ｂが一体となり形成されている。
【００４０】
第１方向ｄ１において、画素電極１５の切り欠き部の幅ｗ５と幅ｗ６とは異なっている。この実施例において、切り欠き部の幅ｗ５は８μｍであり、切り欠き部の幅ｗ６は１４μｍである。突起２６は、ほぼ半円形の断面を有した凸部が第２方向ｄ２に延出して形成されている。第１方向ｄ１において、突起２６の幅ｗ１は１５μｍである。また、突起２６の高さｈ１は１．６μｍである。
【００４１】
この実施例３の中間調において、ΔＬ＊は実施例１と同様２５％である。上記したことから、液晶表示装置は、視野角に対する輝度のばらつきを抑制しているため、視角特性に優れている。
【００４２】
（実施例４）
図９に示すように、実施例４では、突出部２４は、第２方向ｄ２に延出せずに反射領域Ｒ３に重なって設けられている。画素電極１５は、矩形状の第１電極１５ａと、第２電極１５ｂとを有している。第１電極１５ａは反射領域Ｒ３に重なっている。なお、言うまでもないが、反射領域Ｒ３において、反射部１４および第１電極１５ａは重なっている。第２電極１５ｂは透過領域Ｒ２に重なっている。第２電極１５ｂは、透過領域Ｒ２の第１方向ｄ１の中間を境に第２方向ｄ２の幅の異なる２つの矩形状の電極を有している。第１電極１５ａおよび第２電極１５ｂは、第１方向ｄ１に隣接して並んでいる。画素電極１５は、第１電極１５ａおよび第２電極１５ｂが一体となり形成されている。
【００４３】
第２方向ｄ２において、画素電極１５の幅ｗ４は不均一であるため、第１電極１５ａおよび第２電極１５ｂの幅ｗ５と第２電極１５ｂの幅ｗ６とは異なっている。この実施例において、第１電極１５ａおよび第２電極１５ｂの幅ｗ５は４０μｍであり、第２電極１５ｂの他の幅ｗ６は２８μｍである。また、第２方向ｄ２において、隣合う第１電極１５ａおよび第２電極１５ｂの間隔ｓ１は、８μｍであり、隣合う第２電極１５ｂの他の間隔ｓ２は２０μｍである。
【００４４】
突起２６は、透過領域Ｒ２および反射領域Ｒ３に位置している。突起２６は、ほぼ半円形の断面を有した凸部が第１方向ｄ１に延出してストライプ状に形成されている。突起２６の幅ｗ１および高さｈ１は均一である。実施例４では、突起２６の幅ｗ１は１５μｍであり、その高さｈ１は１．６μｍである。突起２６は、透過領域Ｒ２および反射領域Ｒ３を第２方向ｄ２に２等分するように形成されている。
【００４５】
この実施例４の中間調において、ΔＬ＊は実施例１と同様２５％である。上記したことから、液晶表示装置は、視野角に対する輝度のばらつきを抑制しているため、視角特性に優れている。
【００４６】
以上のように構成された実施例１、２、４の液晶表示装置によれば、画素電極１５は、第１電極１５ａと、この第１電極の幅ｗ５と異なる幅ｗ６を有した第２電極１５ｂとを含んでいる。または、突起２６は、第１突起部２６ａと、少なくとも第１突起部の幅ｗ２と異なる幅ｗ３および第１突起部の高さｈ２と異なる高さｈ３の何れかを有した第２突起部２６ｂとを含んでいる。
【００４７】
また、実施例３の液晶表示装置によれば、突起２６は、第１方向ｄ１に隙間を置いて設けられ、かつ、画素電極１５は、切り欠き部分を有し、第１電極１５ａと、この第１電極と第２方向ｄ２に並び、幅ｗ５および幅ｗ６を有した第２電極１５ｂとを含んでいる。
【００４８】
このため、第１電極１５ａと対向した液晶分子と、第２電極１５ｂと対向した液晶分子との傾斜角は異なっている。または、第１突起部２６ａと対向した液晶分子と、第２突起部２６ｂと対向した液晶分子との傾斜角は異なっている。実施例２においては、第２突起部２６ｂと対向した液晶分子の傾斜角は第１方向ｄ１に連続的に変化している。
【００４９】
これにより、表示画面を斜めから見た場合において、実施例１ないし実施例４の液晶表示装置は、輝度の視角特性の良い階調を用いて表示するハーフトーン効果により、比較例１、２の液晶表示装置に比べて視角特性に優れている。また、表示画面を斜めから見た場合の多色表示および白色表示の中間調表示において、実施例１ないし実施例４の液晶表示装置は、全体的に白茶けた表示になることを防ぐことができ、中間調視角特性に優れている。上記したことから、表示品位に優れた液晶表示装置を得ることができる。
【００５０】
なお、この発明は、上述した実施の形態に限定されることなく、この発明の範囲内で種々変形可能である。例えば、図１３に示すように、第２電極１５ｂは、一端側から他端側に向かって連続的に幅が変形して形成されても上述した効果を得ることができる。画素電極１５は第１電極１５ａおよび第２電極１５ｂを有し、第１電極１５ａは反射領域Ｒ３に、第２電極１５ｂは透過領域Ｒ２に位置している。第２方向ｄ２において、第１電極１５ａの幅ｗ５と第２電極１５ｂの幅ｗ６とは異なっている。この変形例において、第１電極１５ａの幅ｗ５は４０μｍである。第１電極１５ａに隣接した側の第２電極１５ｂの一端の幅ｗ６ｍａｘは４０μｍであり、その他端の幅ｗ６ｍｉｎは２８μｍである。
【００５１】
液晶表示装置は、第１電極１５ａとこの第１電極の幅ｗ５と異なる幅ｗ６を有した第２電極１５ｂとを含む画素電極１５と、第１突起部２６ａと少なくとも第１突起部の幅ｗ２と異なる幅ｗ３および第１突起部の高さｈ２と異なる高さｈ３の何れかを有した第２突起部２６ｂとを含む突起２６とを備えていても上述した効果を得ることができる。
【００５２】
液晶表示装置は、突起２６および画素電極１５が第１方向ｄ１に隙間を置いて設けられ、かつ、突起２６が、第１突起部２６ａと、この第１突起部と第２方向ｄ２に並び、少なくとも第１突起部の幅ｗ２と異なる幅ｗ３および第１突起部の高さｈ２と異なる高さｈ３の何れかを有した第２突起部２６ｂとを含んでいても上述した効果を得ることができる。
【００５３】
例えば、図１４に示すように、突起２６は第１方向ｄ１に隙間を置いて設けられている。ここで、各画素部７において、突起２６は、第１方向ｄ１に隙間を置いて反射領域Ｒ３に１つ、透過領域Ｒ２に２つ設けられ、計３つ設けられている。
【００５４】
画素電極１５は複数の切り欠き部を有している。第１方向ｄ１において画素電極１５の１つの切り欠き部の幅ｗ４は１０μｍである。また、第２方向ｄ２において画素電極１５の切り欠き部分の幅ｗ５は５μｍである。
【００５５】
突起２６は、第１突起部２６ａおよび第２突起部２６ｂを有している。第１突起部２６ａおよび第２突起部２６ｂは、第２方向ｄ２に隣接して並んでいる。突起２６は、第１突起部２６ａおよび第２突起部２６ｂが一体となりストライプ状に形成されている。
【００５６】
第１突起部２６ａおよび第２突起部２６ｂは、それぞれほぼ半円形の断面を有した凸部が第２方向ｄ２に延出して形成されている。第１方向ｄ１において、突起２６の幅ｗ１は不均一であるため、第１突起部２６ａの幅ｗ２と第２突起部２６ｂの幅ｗ３とは異なっている。突起２６の高さｈ１は不均一であるため、第１突起部２６ａの高さｈ２と第２突起部２６ｂの高さｈ３とは異なっている。この変形例において、第１突起部２６ａの幅ｗ２は８μｍであり、第２突起部２６ｂの幅ｗ３は１４μｍである。
【００５７】
液晶表示装置は、突起２６が第１方向ｄ１に隙間を置いて設けられ、かつ、画素電極１５が、突起２６が、第１突起部２６ａと、この第１突起部と第２方向ｄ２に並び、少なくとも第１突起部の幅ｗ２と異なる幅ｗ３および第１突起部の高さｈ２と異なる高さｈ３の何れかを有した第２突起部２６ｂとを含んでいても上述した効果を得ることができる。
【００５８】
突起２６を第１方向ｄ１に隙間を置いて設けた場合、少なくとも１つの突起２６が透過領域Ｒ２および反射領域Ｒ３のどちらか一方に設けられていれば上述した効果を得ることができる。
【００５９】
突起２６の少なくとも一部が第１突起部２６ａから第２突起部２６ｂに向かって連続的に変形して形成されても上述した効果を得ることができる。
【００６０】
突起２６（第１突起部２６ａ、第２突起部２６ｂ）の凸部の断面形状は半円形に限らず、三角形等、任意の多角形でも良い。液晶表示装置は半透過型に限らず、透過型であっても良い。
【図面の簡単な説明】
【００６１】
【図１】この発明の実施の形態に係る液晶表示装置の断面図、特に実施例１の液晶表示装置の断面図。
【図２】上記実施例１の液晶表示装置の画素電極、突出部および突起を取り出して対向基板側からみた平面図。
【図３】図２の線Ａ−Ａに沿った液晶表示装置の断面図。
【図４】図２の線Ｂ−Ｂに沿った対向基板の断面図。
【図５】図２の線Ｃ−Ｃに沿った対向基板の断面図。
【図６】上記実施例１の液晶表示装置の視野角に対する輝度の変化を示した図。
【図７】本発明の実施の形態の実施例２に係る液晶表示装置の画素電極、突出部および突起を取り出して対向基板側からみた平面図。
【図８】本発明の実施の形態の実施例３に係る液晶表示装置の画素電極、突出部および突起を取り出して対向基板側からみた平面図。
【図９】本発明の実施の形態の実施例４に係る液晶表示装置の画素電極、突出部および突起を取り出して対向基板側からみた平面図。
【図１０】本発明の実施の形態の比較例に係る液晶表示装置の画素電極、突出部および突起を取り出して対向基板側からみた平面図。
【図１１】上記比較例１の液晶表示装置の視野角に対する輝度の変化を示した図。
【図１２】上記実施例１、比較例１および比較例２の液晶表示装置の印加電圧に対する透過率の変化を示した図。
【図１３】上記液晶表示装置の変形例を示す液晶表示装置の画素電極、突出部および突起を取り出して対向基板側からみた平面図。
【図１４】上記液晶表示装置の他の変形例を示す液晶表示装置の画素電極、突出部および突起を取り出して対向基板側からみた平面図。
【符号の説明】
【００６２】
１…アレイ基板、２…対向基板、３…液晶層、６…バックライトユニット、７…画素部、１０…ガラス基板、１４…反射部、１５…画素電極、１５ａ…第１電極、１５ｂ…第２電極、２０…ガラス基板、２１…カラーフィルタ、２３Ｒ，２３Ｇ，２３Ｂ…着色層、２４…突出部、２５…対向電極、２６…突起、２６ａ…第１突起部、２６ｂ…第２突起部、ｄ１…第１方向、ｄ２…第２方向、ｈ１，ｈ２，ｈ３…高さ、Ｒ１…画素領域、Ｒ２…透過領域、Ｒ３…反射領域、ｗ１，ｗ２，ｗ３，ｗ４，ｗ５，ｗ６…幅。
【図１】
2007101952.tif 000003
【図２】
2007101952.tif 000004
【図３】
2007101952.tif 000005
【図４】
2007101952.tif 000006
【図５】
2007101952.tif 000007
【図６】
2007101952.tif 000008
【図７】
2007101952.tif 000009
【図８】
2007101952.tif 000010
【図９】
2007101952.tif 000011
【図１０】
2007101952.tif 000012
【図１１】
2007101952.tif 000013
【図１２】
2007101952.tif 000014
【図１３】
2007101952.tif 000015
【図１４】
2007101952.tif 000016